(57)【特許請求の範囲】
【請求項１】
情報表示パネルを有する表示デバイスと、該表示デバイスを収容すると共に前記情報表示パネルに対向する正面部分に表示用開口が形成された筐体と、を備えた情報表示装置において、
前記表示デバイスは、前記情報表示パネルを駆動するための回路と前記情報表示デバイスが動作可能温度範囲の温度となるよう加熱するヒータとが実装された回路基板を、前記情報表示パネルの背面に備え、
前記筐体の表示用開口に、空気層を介して互いに対向配置された複数の透明板が取り付けられ、
前記空気層と前記筐体の外部とを連通させる外側通気口が、前記透明板の外縁に沿って延在するよう形成されている
ことを特徴とする情報表示装置。
【請求項２】
請求項１に記載の情報表示装置において、
前記外側通気口として、前記筐体の外周面部分に、前記空気層に連通するスリットがそれぞれ形成されていることを特徴とする情報表示装置。
【請求項３】
請求項１に記載の情報表示装置において、
前記外側通気口として、前記筐体の正面部分に、前記空気層に連通する溝部が形成されていることを特徴とする情報表示装置。
【発明の詳細な説明】
【技術分野】
【０００１】
本発明は、情報表示装置に関するものである。
【背景技術】
【０００２】
近年、スーパーマーケット等の小売販売店において、商品価格等を表示させた電子棚札端末（情報表示装置）を商品陳列棚に取り付け、この電子棚札端末を無線通信によって管理サーバーで集中管理することが望まれている。電子棚札端末を用いることにより、例えば日毎、週毎などで変わる商品の値段表示を、その対象商品の電子棚札端末に信号を送信することで容易にかつ効率的に変更することが可能になり、業務の効率化などが期待できる。
【０００３】
上記した電子棚札端末としては、従来、例えば下記特許文献１に示すような、液晶モジュール（表示デバイス）と、その液晶モジュールを収容する筐体と、を備えた構成が知られている。前記した液晶モジュールには、液晶パネル（情報表示パネル）と、その液晶パネルに裏面側から光を照射する光源と、液晶パネルを加熱するヒータと、液晶パネルに電気的に接続された回路基板と、が備えられている。また、前記した筐体の正面側の壁部には、液晶パネルに対向する位置に表示用開口が形成されており、また、筐体の正面側の壁部の裏面には、表示用開口を閉塞して液晶パネルの表面（液晶画面）を保護するアクリル板などの透明板が取り付けられている。このような構成の電子棚札端末では、表示用開口の内側の液晶画面が透明板越しに視認することができる。
【０００４】
ところで、上記した電子棚札端末は、冷凍された商品を陳列する冷凍ショーケースや冷蔵ショーケースにも設置される。冷凍ショーケースや冷蔵ショーケースに電子棚札端末を設置する場合、電子棚札端末の表示デバイスの温度が表示デバイスの動作可能温度範囲を逸脱すると、表示品質が低下し、表示すべき商品の情報を正常に表示できなくなるという問題がある。例えば液晶パネルを有する液晶モジュールの場合では、冷気によって液晶パネルが低温となると、液晶パネルの表示が暗くなったり、電子粉粒体の動作速度が極端に低下して表示の切り替わりに支障が生じたりするおそれがある。
【０００５】
そこで、従来、電子棚札端末の表示手段の表示品質を保つために、例えば下記特許文献２に示すような、表示デバイスの周囲温度を制御することで、棚札端末自身の温度を制御して表示デバイスの表示品質を維持するものがある。
【先行技術文献】
【特許文献】
【０００６】
【特許文献１】特開昭５８−１０６５２４号公報
【特許文献２】特開２００８−４８８６８号公報
【発明の概要】
【発明が解決しようとする課題】
【０００７】
しかしながら、上記した表示デバイスを温めて表示させる従来の電子棚札端末では、例えば従来の電子棚札端末を冷凍ショーケースや冷蔵ショーケースに設置した場合、そのケースの冷気によって透明板が冷却されるため、透明板に結露が生じて透明板が曇り、液晶画面が一時的に視認しにくくなるという問題が存在する。特に、上記した従来の電子棚札端末は防滴構造になっている場合が多く、筐体内部が密閉されているため、透明板の裏面側の湿気が筐体外部に逃げにくく、透明板が曇りやすい。
【０００８】
また、冷凍ショーケースなどに設置する場合等のように外部温度が超低温である場合には、透明板に付着した水滴が凍結するおそれがある。この場合、長時間に亘って液晶画面が視認しにくい状態となる。
【０００９】
本発明は、上記した従来の問題が考慮されたものであり、低温環境下において液晶画面の視認性が低下するのを抑制することができる情報表示装置を提供することを目的としている。
【課題を解決するための手段】
【００１０】
本発明に係る情報表示装置は、情報表示パネルを有する表示デバイスと、該表示デバイスを収容すると共に前記情報表示パネルに対向する正面部分に表示用開口が形成された筐体と、を備えた情報表示装置において、前記筐体の表示用開口に、空気層を介して互いに対向配置された複数の透明板が取り付けられていることを特徴としている。
【００１１】
このような特徴により、筐体内部がヒータ等で温められたとき、空気層の温度は筐体内部の温度に比べて低く抑えられる。したがって、低温の外部温度によって外部側の透明板が冷却されても、その透明板と空気層との温度差が緩和されるので、透明板に結露が生じにくく、透明板が曇りにくくなる。
【００１２】
また、本発明に係る情報表示装置は、前記空気層と前記筐体の外部とを連通させる外側通気口が形成されていることが好ましい。
これにより、空気層内の湿気が外側通気口から外部に逃がされるので、透明板が曇りにくくなる。したがって、空気層を完全に気密にする方法に比べて低コストで透明板の曇り防止を実現することができる。
【００１３】
また、本発明に係る情報表示装置は、前記外側通気口として、前記筐体の外周面部分に、前記透明板の外縁に沿って延在すると共に前記空気層に連通するスリットがそれぞれ形成されていることが好ましい。
これにより、外側通気口から透明板の間（空気層）にゴミや異物が侵入しても、それらを容易に取り出すことが可能である。
【００１４】
また、本発明に係る情報表示装置は、前記外側通気口として、前記筐体の正面部分に、前記透明板の外縁に沿って延在すると共に前記空気層に連通する溝部が形成されていることが好ましい。
これにより、筐体がシンプルな構造となるので、製造が容易である。
【００１５】
また、本発明に係る情報表示装置は、前記空気層と前記筐体の内部とを連通させる内側通気口が形成されていることが好ましい。
これにより、空気層内の湿気が内側通気口から逃がされるので、透明板が曇りにくくなる。したがって、空気層を完全に気密にする方法に比べて低コストで透明板の曇り防止を実現することができる。しかも、透明板の間（空気層）にゴミや異物が侵入しにくくなり、また、内側通気口は外観に表れない。
【発明の効果】
【００１６】
本発明に係る情報表示装置によれば、低温環境下であっても空気層があることで結露による透明板の曇りが生じにくくなり、表示画面の視認性の低下を抑制することができる。
【図面の簡単な説明】
【００１７】
【図１】本発明に係る情報表示装置が設置された棚の斜視図である。
【図２】本発明に係る情報表示装置を用いた情報表示ユニットの斜視図である。
【図３】本発明の第一実施例を説明するための情報表示装置の正面側からの斜視図である。
【図４】本発明の第一実施例を説明するための情報表示装置の背面側からの斜視図である。
【図５】本発明の第一実施例を説明するための情報表示装置の横断面図である。
【図６】本発明の第一実施例を説明するための情報表示装置の分解斜視図である。
【図７】本発明の第二実施例を説明するための情報表示装置の下面図である。
【図８】本発明の第三実施例を説明するための情報表示装置の正面図である。
【図９】本発明の第三実施例を説明するための情報表示装置の部分断面図であり、図８に示すＡ‐Ａ´間の断面図である。
【図１０】本発明の第三実施例の変形例を説明するための情報表示装置の正面図である。
【図１１】本発明の第三実施例の変形例を説明するための情報表示装置の部分断面図であり、図１０に示すＢ‐Ｂ´間の断面図である。
【図１２】本発明の第四実施例を説明するための情報表示装置の下面図である。
【図１３】本発明の第五実施例を説明するための筐体の正面部分（フレーム部）の斜視図である。
【図１４】本発明の第六実施例を説明するための筐体の正面部分（フレーム部）の斜視図である。
【図１５】本発明の変形例を説明するための情報表示装置の部分断面図である。
【発明を実施するための形態】
【００１８】
以下、本発明に係る情報表示装置の実施の形態について、図面に基づいて説明する。
本発明に係る情報表示装置は、例えば図１に示す冷ケース（棚）Ｓに設置される電子棚札として利用可能である。
【００１９】
詳しく説明すると、冷ケースＳは、内部を冷却する図示しない冷却機構を有する商品陳列用棚であり、前方に開口する商品収納部Ｓ１が、ケース高さ方向Ｚに複数段設けられている。この冷ケースＳには、商品収納部Ｓ１に収納された図示しない商品の情報を表示する情報表示ユニット１（電子棚札ユニット）が設置されている。この情報表示ユニット１は、商品情報を表示する情報表示装置３と、情報表示装置３に電力を供給する給電装置２と、を備えている。
なお、本実施の形態では、ケース高さ方向Ｚに沿った冷ケースＳの脚部Ｓ２側を下側、その反対側を上側といい、ケース奥行き方向Ｙに沿った冷ケースＳの正面側を前方、その反対側を後方という。
【００２０】
図１、図２に示すように、給電装置２には、情報表示装置３をスライド自在に保持する保持部材２０と、保持部材２０に取り付けられた給電レール２１と、給電レール２１に電力を供給する電力供給手段２２と、が備えられている。
【００２１】
保持部材２０は、図１に示す冷ケースＳの棚板Ｓ３の前端部分に取り付けられて棚板Ｓ３の前端面に沿ってケース幅方向Ｘに延在するレール部材である。この保持部材２０には、前向きに開口するガイド溝２４が形成されており、また、そのガイド溝２４の内側の上端部には、上方に向かって窪んで下向きに開口する嵌合溝２５が形成されている。ガイド溝２４は、情報表示装置３のケース幅方向Ｘへのスライドを案内する溝部であり、ケース幅方向Ｘに延設されている。また、嵌合溝２５は、給電レール２１が嵌合される溝部であり、ケース幅方向Ｘに延設されている。また、保持部材２０の後方部分には、棚板Ｓ３の前端部分に取り付けるためのブラケット２３が取り付けられており、保持部材２０は、このブラケット２３によって、ケース高さ方向Ｚに対して前方斜め下方に向けて傾斜した姿勢で棚板Ｓ３の前端部分に取り付けられている。
【００２２】
給電レール２１は、嵌合溝２５の内面に沿って断面視略コ字状に形成されたレール部材であり、保持部材２０の全長に亘ってケース幅方向Ｘに延設されている。この給電レール２１の前壁部の内面および後壁部の内面には、ケース幅方向Ｘに延在する給電電極２６、２７がそれぞれ取り付けられている。これら一対の給電電極２６、２７は、電力供給手段２２に電気的に接続されている。
【００２３】
（情報表示装置）
続いて、情報表示装置３の第一実施例について、図３〜図６に基づいて説明する。
【００２４】
情報表示装置３は、無線通信によって図示せぬ管理サーバーで集中管理される電子ペーパー端末機（電子棚札端末機）であり、この情報表示装置３と管理サーバーと無線中継機とが組み合わされることで電子ペーパーシステムが構成される。詳しく説明すると、情報表示装置３は、上記した給電装置２に取り付けられると共に給電装置２から電力供給を受けて作動する液晶ディスプレイであり、図３、図４に示すように、正面側（前方側）に情報を表示する液晶画面３０が形成されている。情報表示装置３の概略構成としては、液晶モジュール４（表示デバイス）と、液晶モジュール４を収容する筐体５と、筐体５の背面部分に取り付けられた受電体６と、を備えている。
【００２５】
図５に示すように、液晶モジュール４には、液晶パネル４０（情報表示パネル）と、その液晶パネル４０に対して電気信号を送る駆動回路が形成された回路基板４１と、が備えられている。液晶パネル４０の外周部には、液晶パネル４０を保持するパネル保持枠４２が取り付けられている。このパネル保持枠４２は筐体５の内部に嵌合されており、それにより、液晶パネル４０が筐体５内の所定位置に設置されている。回路基板４１は、液晶パネル４０の背面側（後方側）において液晶パネル４０に対向して配設されており、フレキシブル基板４３を介して液晶パネル４０に電気的に接続されている。また、液晶モジュール４には、液晶パネル４０を加熱するヒータ４４（加熱手段）が備えられている。このヒータ４４は、電気抵抗によって発熱する発熱体であり、液晶パネル４０に対向する回路基板４１の表面上に実装されている。
【００２６】
図５、図６に示すように、筐体５には、上記した液晶モジュール４を収容する収容部５０と、収容部５０の開口縁部に被着されていると共に液晶パネル４０に対向する位置に表示用開口５６が形成されたフレーム部５１と、フレーム部５１の表示用開口５６に取り付けられた第一透明板５２及び第二透明板５３と、が備えられている。
【００２７】
収容部５０は、正面側が開口した略矩形状の箱部であり、その概略構成としては、背面側の背面壁部５０ａと、背面壁部５０ａの上縁から正面側に向かって突出した上壁部５０ｂと、背面壁部５０ａの下縁から正面側に向かって突出した下壁部５０ｃと、背面壁部５０ａの両側の側縁から正面側に向かって突出した側壁部５０ｄ、５０ｄと、を備えている。前記した上壁部５０ｂと下壁部５０ｃと両側の側壁部５０ｄ、５０ｄとによって正面視略矩形環状の周壁部が形成されている。また、筐体５の背面（背面壁部５０ａ）の横幅方向の中央部分には、背面壁部５０ａの上下方向の全長に亘って延在する凹溝部５７が形成されている。
【００２８】
フレーム部５１は、上記した液晶画面３０の外周に周設された外枠部５１ａと、その外枠部５１ａの内側に配設された透明板取付部５１ｂと、を備えている。外枠部５１ａは、収容部５０の開口縁部に沿って全周に亘って形成された正面視矩形環状の枠部であり、その後端部が収容部５０の開口縁部に嵌合されている。透明板取付部５１ｂは、第一透明板５２及び第二透明板５３がそれぞれ取り付けられる板部であり、正面視矩形環状に形成されていると共に液晶パネル４０の表面に対して平行に配設されている。
【００２９】
第一透明板５２及び第二透明板５３は、平面視矩形状に形成された透明な板材であり、例えば透明なアクリル板からなる。これら第一透明板５２及び第二透明板５３は、空気層５４を介して互いに対向配置されている。詳しく説明すると、第一透明板５２は、外枠部５１ａの内側に配置されており、その外周部が、透明板取付部５１ｂの正面側の面（図５における上面）に接着されている。また、第二透明板５３は、第一透明板５２の裏側に配置されており、その外周部が、透明板取付部５１ｂの裏面側の面（図５における下面）に接着されている。つまり、第一透明板５２及び第二透明板５３は、各々の外周部の間に透明板取付部５１ｂを挟んだ状態で対向配置されており、これら第一透明板５２及び第二透明板５３の間には、透明板取付部５１ｂの厚さ分の隙間があけられている。これにより、第一透明板５２と第二透明板５３との間には、第一透明板５２の背面側の面（図５における下面）、第二透明板５３の正面側の面（図５における上面）及び矩形環状の透明板取付部５１ｂの内周面によって囲まれた空気層５４が形成されている。
なお、第一透明板５２及び第二透明板５３の透明板取付部５１ｂに対する接着方法としては、例えば超音波溶着を用いる等、公知の接着方法によって可能である。
【００３０】
図３、図４に示すように、受電体６は、略矩形板状の部材であり、前記した凹溝部５７の内側に嵌着されている。この受電体６の上部は、筐体５の上面よりも上方に突出されており、受電体６の上部には、一対の受電電極６０、６１が設けられている。
【００３１】
上記した構成からなる情報表示装置３は、図２に示すように、筐体５がガイド溝２４内に嵌合されるとともに受電体６の上部が給電レール２１の内側に嵌合されることで、給電装置２に斜めに傾斜して取り付けられる。これにより、液晶画面３０は、前方斜め下方に向けて傾斜する。
そして、上記したように情報表示装置３が給電装置２に取り付けられたときに、情報表示装置３の受電電極６０、６１と給電装置２の給電電極２６、２７とが互いに接触して電気的に接続される。これにより、給電装置２から情報表示装置３に給電可能となる。
【００３２】
上記した構成からなる情報表示装置３によれば、筐体５の内部がヒータ４４で温められても、空気層５４の温度は筐体５の内部の温度に比べて低く抑えられる。したがって、冷ケースＳの冷気によって低温となった外部に面する第一透明板５２が冷却されても、その第一透明板５２と空気層５４との温度差が緩和される。これにより、第一透明板５２に結露が生じにくく、第一透明板５２が曇りにくくなり、液晶画面３０の視認性の低下を抑制することができる。
【００３３】
次に、情報表示装置３の第二実施例について、図７に基づいて説明する。
なお、上記した第一実施例と同一の構成については、同一符号を付して説明を省略する。
【００３４】
図７に示すように、本実施例における筐体５には、空気層５４と筐体５の外部とを連通させる外側通気口５５が形成されている。この外側通気口５５は、空気層５４内の湿気を外部に逃がすための開口である。詳しく説明すると、筐体５の外周部分、すなわち、フレーム部５１の上面及び下面（図７は下面を示す。）には、第一透明板５２及び第二透明板５３の縁部に沿って延在するスリット状の外側通気口５５がそれぞれ形成されている。この外側通気口５５（スリット）は、上下方向に貫通した開口であり、フレーム部５１の上面に形成された図示せぬ外側通気口の下端は、空気層５４の上壁面で開口されて空気層５４に連通されており、フレーム部５１の下面に形成された外側通気口５５の上端は、空気層５４の下壁面で開口されて空気層５４に連通されている。
【００３５】
上記した外側通気口５５を有する情報表示装置３によれば、空気層５４内の湿気が外側通気口５５から外部に逃がされるので、第一透明板５２が曇りにくくなる。したがって、空気層５４を完全に気密にする方法に比べて低コストで第一透明板５２の曇り防止を実現することができる。
【００３６】
また、上記した情報表示装置３によれば、外側通気口５５が筐体５の外周面に形成されているので、外側通気口５５から第一透明板５２と第二透明板５３との間（空気層５４）にゴミや異物が侵入しても、それらを外側通気口５５から容易に取り出すことが可能である。
【００３７】
なお、上記した第二実施例では、筐体５（フレーム部５１）の上面及び下面に外側通気口５５がそれぞれ形成されているが、本発明は、筐体５（フレーム部５１）の両側面に外側通気口５５がそれぞれ形成された構成であってもよい。さらに、本発明は、筐体５の上面及び下面のうちの何れか一方にのみ外側通気口５５が形成されていてもよく、また、筐体の両側面のうちの何れか一方にのみ外側通気口５５が形成されていてもよい。
【００３８】
次に、情報表示装置３の第三実施例について、図８、図９に基づいて説明する。
なお、上記した第一実施例と同一の構成については、同一符号を付して説明を省略する。
【００３９】
図８、図９に示すように、本実施例における筐体５の正面部分のうち、第一透明板５２の横方向両側に、第一透明板５２の外縁に沿って延在する凹溝状の外側通気口１５５、１５５がそれぞれ形成されている。詳しく説明すると、第一透明板５２は、その両側の外縁とフレーム部５１の外枠部５１ａの内縁との間に隙間をあけて外枠部５１ａの内側に配設されており、この隙間によって上記した凹溝状の外側通気口１５５が形成されている。つまり、凹溝状の外側通気口１５５は、第一透明板５２の外縁面と、フレーム部５１の外枠部５１ａの内縁面と、フレーム部５１の透明板取付部５１ｂの正面側の面（図９における上面）と、によって形成されている。また、第一透明板５２の両側の側端部は透明板取付部５１ｂの横枠部分から離間されており、第一透明板５２の側端部の裏面と透明板取付部５１ｂの横枠部分の正面側の面との間には隙間があけられている。これにより、外側通気口１５５は、前記した隙間を介して空気層５４に連通されている。
【００４０】
上記した外側通気口１５５を有する情報表示装置３によれば、空気層５４の湿気が外側通気口１５５から外部に逃がされるので、低コストで第一透明板５２の曇り防止を図ることができ、しかも、筐体５がシンプルな構造であるので、容易に製造することができる。
【００４１】
なお、上記した第三実施例では、第一透明板５２の横方向両側に溝状の外側通気口１５５、１５５がそれぞれ形成されているが、本発明は、図１０、図１１に示すように、筐体５の正面部分のうち、第一透明板５２の縦方向両側（上側及び下側）に、溝状の外側通気口２５５、２５５がそれぞれ形成されていてもよい。この外側通気口２５５は、上記した外側通気口１５５と同様に、空気層５４に連通されている。すなわち、第一透明板５２の上端部の裏面と透明板取付部５１ｂの上枠部分の正面側の面との間、及び、第一透明板５２の下端部の裏面と透明板取付部５１ｂの下枠部分の正面側の面との間には、それぞれ隙間が形成されており、この隙間を介して外側通気口２５５と空気層５４とが連通されている。
また、本発明は、第一透明板５２の横方向の一方側にのみ外側通気口１５５が形成されていてもよく、或いは、第一透明板５２の上側及び下側のうちの何れか一方にのみ外側通気口２５５が形成されていてもよい。
【００４２】
次に、情報表示装置３の第四実施例について、図１２に基づいて説明する。
なお、上記した第一実施例と同一の構成については、同一符号を付して説明を省略する。
【００４３】
図１２に示すように、本実施例における筐体５の外周面部分に、間隔をあけて並設された複数の外側通気口３５５がされていてもよい。詳しく説明すると、これらの外側通気口３５５は、丸孔状の開口であり、フレーム部５１の上面及び下面（図１２は下面を示す。）にそれぞれ形成されている。また、外側通気口３５５は、筐体５の内部のうち、第二透明板５３と液晶パネル４０との間の空気層に向けて開口されており、当該空気層と筐体５の外部とが外側通気口３５５を介して連通されている。
【００４４】
上記した外側通気口３５５を有する情報表示装置３によれば、第二透明板５３の裏側（背面側）の湿気が外側通気口３５５から外部に逃がされるので、低コストで第二透明板５３の曇り防止を図ることができる。
【００４５】
なお、上記した第四実施例では、外側通気口３５５が丸孔状に形成されているが、本発明は、外側通気口の形状は適宜変更可能であり、例えば矩形状や長孔状の外側通気口であってもよい。
また、上記した第四実施例では、筐体（フレーム部５１）の上面及び下面に外側通気口３５５が形成されているが、本発明は、筐体５（フレーム部５１）の側面に外側通気口３５５が形成されていてもよい。
【００４６】
次に、情報表示装置３の第五実施例について、図１３に基づいて説明する。
なお、上記した第一実施例と同一の構成については、同一符号を付して説明を省略する。
【００４７】
図１３に示すように、本実施例における情報表示装置３は、フレーム部５１の表示用開口５６に対して背面側から貼り付けられた第二透明板５３の外縁が、表示用開口５６（矩形環状の透明板取付部５１ｂ）の内縁よりも当該表示用開口５６の内方側に離間した位置に形成されており、この第二透明板５３の外縁と表示用開口５６の内縁との間に形成された隙間が、図５に示す筐体５の内部と空気層５４とを連通させる内側通気口４５５となっている。詳しく説明すると、第二透明板５３の縦方向の寸法は表示用開口５６の縦方向の寸法よりも小さく、表示用開口５６の内縁の上辺部の下方に第二透明板５３の上縁が位置していると共に、表示用開口５６の内縁の下辺部の上方に第二透明板５３の下縁が位置している。これにより、表示用開口５６の内縁の上辺部と第二透明板５３の上縁との間、及び表示用開口５６の内縁の下辺部と第二透明板５３の下縁との間に、第二透明板５３の上縁若しくは下縁に沿って延在する隙間（内側通気口４５５）が形成されている。
【００４８】
上記した内側通気口４５５を有する情報表示装置３によれば、空気層５４内の湿気が内側通気口４５５から逃がされるので、第一透明板５２が曇りにくくなる。したがって、空気層５４を完全に気密にする方法に比べて低コストで第一透明板５２の曇り防止を実現することができる。
【００４９】
また、上記した内側通気口４５５が筐体５の内部に向けて開口されているので、空気層５４にゴミや異物が侵入しにくい。これにより、空気層５４にゴミや異物などが侵入することによる視認性の低下を防止することができる。
【００５０】
また、上記した内側通気口４５５は、外観に表れないので、情報表示装置３のデザインに影響を与えることなく、第一透明板５２の曇り防止を図ることができる。
また、上記した内側通気口４５５では、フレーム部５１や第二透明板５３にスリットや溝、孔などを形成する必要がなく、第二透明板５３の寸法を変更するだけで形成することができるので、容易に製造することができる。
【００５１】
次に、情報表示装置３の第六実施例について、図１４に基づいて説明する。
なお、上記した第一実施例と同一の構成については、同一符号を付して説明を省略する。
【００５２】
図１４に示すように、本実施例における情報表示装置３は、フレーム部５１の表示用開口５６に対して背面側から貼り付けられた第二透明板５３に複数の孔が穿孔され、この孔が図５に示す筐体５の内部と空気層５４とを連通させる内側通気口５５５となっている。詳しく説明すると、第二透明板５３の上端部に、空気層５４に向けて開口した複数の丸孔（内側通気口５５５）が表示用開口５６の上縁に沿って間隔をあけて並設されていると共に、第二透明板５３の下端部に、空気層５４に向けて開口した複数の丸孔（内側通気口５５５）が表示用開口５６の下縁に沿って間隔をあけて並設されている。
【００５３】
上記した内側通気口５５５を有する情報表示装置３によれば、空気層５４内の湿気が内側通気口５５５から逃がされるので、低コストで第一透明板５２の曇り防止を実現することができる。
また、上記した内側通気口４５５では、フレーム部５１や第二透明板５３にスリットや溝、孔などを形成する必要がなく、第二透明板５３に孔を穿孔するだけで形成することができるので、容易に製造することができる。
【００５４】
以上、本発明に係る情報表示装置の実施の形態について説明したが、本発明は上記した実施の形態に限定されるものではなく、その趣旨を逸脱しない範囲で適宜変更可能である。
例えば、液晶モジュール４を収容する収容部５０の開口縁部に、表示用開口５６が形成されたフレーム部５１が嵌着された筐体５について説明しているが、本発明における筐体は、収容部５０とフレーム部５１とが別体に形成されたものに限定されず、液晶モジュールを収容する収容部と表示用開口が形成されたフレーム部とが一体に形成されていてもよい。
【００５５】
また、上記した実施の形態では、商品情報を表示する電子棚札として用いられる情報表示装置３について説明しているが、本発明は、電子棚札以外の情報表示装置であってもよく、例えば、作業工程等を表示した情報表示装置であってもよく、或いは、倉庫管理に用いられる情報表示装置であってもよい。
【００５６】
また、上記した実施の形態では、液晶パネル４０を加熱するヒータ４４として、液晶パネル４０に対向する回路基板４１の表面上に実装された発熱体（抵抗体）が備えられているが、本発明は、他の加熱手段を用いることも可能である。例えば、図１５に示すように、液晶パネル４０の背面に、シート型ヒータ１４４が積層された構成であってもよい。
【００５７】
また、本発明は、筐体５の正面部分に、第五実施例における内側通気口４５５と同様の外側通気口を形成することも可能である。すなわち、フレーム部５１の表示用開口５６に対して正面側から貼り付けられた第一透明板５２の外縁が、表示用開口５６の内縁よりも当該表示用開口５６の内方側に離間した位置に形成されており、この第一透明板５２の外縁と表示用開口５６の内縁との間に形成された隙間が、空気層５４と筐体５の外部とを連通させる外側通気口となっていてもよい。
【００５８】
また、上記した実施の形態では、２枚の透明板５２、５３を備えた二重窓構造の情報表示装置３について説明しているが、本発明は、３枚以上の透明板を備えた情報表示装置であってもよい。
【００５９】
また、上記した実施の形態では、液晶パネルを有する液晶モジュールが筐体５の中に収容されているが、本発明は、上記した液晶モジュール以外の表示デバイスを用いることも可能であり、例えば、電気泳動方式の電子ペーパーからなる表示デバイスであってもよい。
【００６０】
また、上記した実施の形態では、給電装置２の給電レール２１に沿って移動可能であると共に給電装置２から電力の供給を受ける情報表示装置３について説明しているが、本発明は、上記した給電装置２に装着される情報表示装置３に限定されない。例えば、電池式の情報表示装置であってもよく、電気コードを介して電源に接続された情報表示装置であってもよい。
【００６１】
また、上記した実施の形態では、無線通信によって図示せぬ管理サーバーで集中管理される情報表示装置３について説明しているが、本発明は、無線通信以外で管理される情報表示装置であってもよく、例えば、ハンディタイプのデータ書換装置を用いて表示情報が書き換えられる情報表示装置であってもよく、有線で管理サーバーに接続された情報表示装置であってもよい。
【００６２】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００６３】
３  情報表示装置
４  液晶モジュール（表示デバイス）
５  筐体
４０  液晶パネル（情報表示パネル）
５２  第一透明板（透明板）
５３  第二透明板（透明板）
５４  空気層
５５、１５５、２５５、３５５  外側通気口
５６  表示用開口
４５５、５５５  内側通気口
【図１】
0005731855.tif 000002
【図２】
0005731855.tif 000003
【図３】
0005731855.tif 000004
【図４】
0005731855.tif 000005
【図５】
0005731855.tif 000006
【図６】
0005731855.tif 000007
【図７】
0005731855.tif 000008
【図８】
0005731855.tif 000009
【図９】
0005731855.tif 000010
【図１０】
0005731855.tif 000011
【図１１】
0005731855.tif 000012
【図１２】
0005731855.tif 000013
【図１３】
0005731855.tif 000014
【図１４】
0005731855.tif 000015
【図１５】
0005731855.tif 000016